(57)【要約】【課題】引き剥がされたトップテープの折り返し部でのテープジャム等の発生を防止するテープ接続シール及びトップテープの接続方法を提供する。【解決手段】粘着テープ２８（テープ接続シール２９、３１）は、接続に使用されるとき部品テープ１０（１０ol、１０nw）の走行方向を向く端部が、部品テープ１０の走行方向に対し９０°以下の角度α°を有して形成され、その端部に先鋭角部分３１−１が形成されている。重なりや皺などで、たとえトップテープ１０ｂの接続部分が厚くなっても、最初に接続部分の先鋭角部分３１−１が折返部１６の逃げ１６−２を容易に通過するので、後続のテープ接続シール３１部分は、先行する先鋭角部分３１−１に追随して、凸状の中央部１６−１により狭くなっている折返部１６の難所１６−３を、ジャムを引き起こすことなく容易に通過する。【選択図】      図４
2007042674.tif 000002
【特許請求の範囲】
【請求項１】
本体テープとトップテープとから成る部品テープの接続において前記トップテープの接続に使用されるテープ接続シールであって、
接続に使用されるとき前記部品テープの走行方向を向く端部が前記部品テープの走行方向に対し９０度以下の角度を有して形成されている、ことを特徴とするテープ接続シール。
【請求項２】
本体テープとトップテープとから成る部品テープの接続における前記トップテープの接続方法であって、
接続に使用されるとき前記部品テープの走行方向を向く端部が前記部品テープの走行方向に対し９０度以下の角度を有して形成されているテープ接続シールを用いてトップテープを接続する、ことを特徴とするトップテープの接続方法。
【発明の詳細な説明】
【技術分野】
【０００１】
本発明は、電子部品を収容しテープ式部品供給装置のテープリールに巻着された部品テープのトップテープを接続するテープ接続シール及びトップテープの接続方法に関する。
【背景技術】
【０００２】
従来、基板ユニット生産ラインにおいて、部品搭載装置に装着されて、その部品搭載装置にチップ状電子部品（以下、単に部品という）を供給するテープ式部品供給装置（テープフィーダ又は単にフィーダとも呼称される）がある。
【０００３】
上記のテープフィーダは、部品テープを巻着するテープリールを着脱自在に保持して部品搭載装置の部品供給ステージに、部品搭載装置の大きさにもよるが３０台〜７０台というように多数装着される。
【０００４】
部品テープは、長手方向に沿って一定間隔で形成されている凹部に部品を収容・保持する本体テープと、この本体テープから部品が逸脱しないように上から押さえて本体テープに剥離可能に貼着されているトップテープとから成る。
【０００５】
部品搭載装置は、ＸＹ軸方向（左右及び前後方向）に移動自在な作業ヘッドと、この作業ヘッドに保持されてＺ軸方向（上下方向）に移動自在で且つθ軸方向（３６０度方向）に回転可能な搭載ヘッドを備えている。
【０００６】
部品搭載装置は、テープ式部品供給装置によりテープリールから引き出された部品テープから供給される部品を、搭載ヘッドの先端に着脱自在に装着される吸着ノズルにより順次吸着して、その吸着した部品をプリント回路基板（以下、単に基板という）の所定の搭載位置に搭載する。
【０００７】
そして、搭載ヘッドによる部品搭載処理が進行し、テープフィーダに部品切れが発生すると、その部品切れが発生したテープフィーダの部品テープを新たな部品テープと交換するためのテープリール交換作業が行われる。
【０００８】
このテープリール交換作業では、先ず部品搭載装置を停止させた後、テープフィーダを部品供給ステージから取り外した状態で、テープ接続用の粘着シール（粘着テープともいう）を部品テープの上下両面にそれぞれ貼着することによって行われる。（例えば、特許文献１参照。）
【特許文献１】特開２００４−１６１３５５号公報（要約、図４）
【発明の開示】
【発明が解決しようとする課題】
【０００９】
ところで、テープ接続用の粘着シールを部品テープの上下両面にそれぞれ貼着して部品テープを接続した後、その接続された部品テープのトップテープがテープフィーダの部品供給口の手前で本体テープから引き剥がされ、部品テープの走行方向反対側に折り返して回収されるとき、その折り返し部が狭いため（広くするとトップテープによる押さえを解除された部品が本体テープから飛び出して逸脱する）、トップテープにジャムが発生する場合が多々ある。
【００１０】
このようなジャムの発生は、トップテープが接続によって粘着シールの分だけ厚くなっていること、一般にトップテープは単体の状態では伸び易い材質であるため接続部の切り口で重なってしまうことがあり接続部分が更に厚くなってしまうこと、折り返し部で急角度の折り返し円弧を形成する接続部分に粘着シール自体による皺が発生して接続部分が厚くなること等が原因となっている。
【００１１】
ところが、上記の特許文献１に記載の技術は、テープ接続作業を効率的に行うことを目的として提案されているものの、上記のようなテープフィーダの部品供給口の手前で本体テープから引き剥がされたトップテープが、その折り返し部でジャムを発生し勝ちなこと及びそのジャム発生の不具合解消方法については何らの開示も示唆もなされていない。
【００１２】
すなわち特許文献１に記載の技術は、引き剥がされたトップテープの折り返し部でのテープジャム等の発生及びその不具合を解消することについての認識は全く含まれていない。
【００１３】
本発明の課題は、上記従来の実情に鑑み、引き剥がされたトップテープの折り返し部でのテープジャム等の発生を防止するテープ接続シール及びトップテープの接続方法を提供することである。
【課題を解決するための手段】
【００１４】
先ず、第１の発明のテープ接続シールは、本体テープとトップテープとから成る部品テープの接続において上記トップテープの接続に使用されるテープ接続シールであって、接続に使用されるとき上記部品テープの走行方向を向く端部が上記部品テープの走行方向に対し９０度以下の角度を有して形成されているように構成される。
【００１５】
次に、第２の発明のトップテープの接続方法は、本体テープとトップテープとから成る部品テープの接続における上記トップテープの接続方法であって、接続に使用されるとき上記部品テープの走行方向を向く端部が上記部品テープの走行方向に対し９０度以下の角度を有して形成されているテープ接続シールを用いてトップテープを接続するように構成される。
【発明の効果】
【００１６】
本発明によれば、部品テープを接続後、テープ式部品供給装置の部品供給口の手前で本体テープから引き剥がされたトップテープが、その折り返し部でジャムを発生することがなくなり、したがって、ジャム回復の保守作業が低減し、基板ユニット生産の作業能率が向上する。
【発明を実施するための最良の形態】
【００１７】
以下、本発明の実施の形態を図面を参照しながら説明する。
【実施例１】
【００１８】
図１は、本発明のテープ接続シール及びトップテープの接続方法により接続される部品デープを用いるテープ式部品供給装置を部品供給ステージに多数装着した状態の部品搭載装置の主要部の内部構成を模式的に示す図である。
【００１９】
図１には、２本の基板案内レール１、本体装置内に搬入された基板２、部品供給ステージ３、その部品供給ステージ３に配設された多数のテープ式部品供給装置４等を示している。
【００２０】
尚、図１には、基板２の上を前後（Ｙ軸方向）左右（Ｘ軸方向）に移動する作業ヘッドや、この作業ヘッドに保持されて上下（Ｚ軸方向）に昇降し且つ３６０度方向（θ軸方向）に回転自在な搭載ヘッド等の図示は省略している。
【００２１】
また、図１には、上記の図示を省略した作業ヘッドの近傍に配置され、搭載ヘッドの先端の吸着ノズルに吸着される部品を画像認識する装置本体側に固定の部品認識用カメラ５を示している。
【００２２】
また、図１には、テープ式部品供給装置４の主要部の構成を説明するために、任意の装着位置６から脱抜されたテープ式部品供給装置４（４´）を図の手前側に示している。
図１に示すように、テープ式部品供給装置４（４´）は、後端部のリール保持部７に交換自在にテープリール８を装着されている。このテープリール８には、部品テープ１０が巻着されている。部品テープ１０は、部品供給口１１まで引き出される手前で、トップテープ１０ｂが本体テープ１０ａから引き剥がされて二方に引き分けられる。
【００２３】
図示を省略した搭載ヘッドは、テープ式部品供給装置４の部品供給口１１まで引き出された本体テープ１０ａの部品収容凹部に収容されている部品を吸着して引き上げ、基板２上に移動する途上で部品認識用カメラ５で部品の吸着姿勢を画像認識し、位置の補正を行って、その部品を基板２の所定の搭載位置に搭載する。
【００２４】
搭載ヘッドにより部品を吸着して取り出され、使用済みとなった部分の部品テープ１０の本体テープ１０ａは、自重で装置前方から下方へ垂れて床上に堆積される。また、同じく使用済みとなった部分の部品テープ１０のトップテープ１０ｂは引き剥がし部で後方に折り返されて回収装置１２に回収される。
【００２５】
搭載ヘッドによる部品の吸着とその部品の基板への搭載処理が順次進行することにより、やがてテープ式部品供給装置４の部品切れ時期が近づき、部品搭載装置の警告表示灯が点滅し、更に表示装置に「何番の部品供給ステージの何番の装着位置のテープ式部品供給装置４が部品切れ時期に近づいている」ということが報知される。
【００２６】
この部品切れ時期が近接の報知に基づいて、現場作業者は、テープ式部品供給装置４を部品供給ステージ３に装着したまま、部品切れ寸前のテープリール８のみをテープ式部品供給装置４から取り外し、その部品切れ寸前のテープリール８から引き出した使用中の部品テープ１０の終端と、交換用の新しいテープリール８に巻着された新しい部品テープ１０の始端とを、本発明のテープ接続シール及びトップテープの接続方法を用いて接続して、その新しいテープリール８をテープ式部品供給装置４に付け替える。
【００２７】
図２(a),(b) は、交換用の新らしい部品テープの始端と部品切れが近い使用中の部品テープの終端が接続される前後の状態を示す図である。尚、図２(a),(b) には、図１に示す構成と同一の構成部分には、図１と同一の番号を付与して示している。
【００２８】
図２(a) は、破線で示す円ａ内に、部品切れが近い使用中の部品テープ１０olの終端１０ｅと、交換用の新しいテープリール８に巻着された新しい部品テープ１０nwの始端１０ｓを示している。
【００２９】
そして、図２(b) は、上記部品テープ１０olの終端１０ｅと部品テープ１０nwの始端１０ｓとが接続されて一体化された接続後の部品テープ１０の状態を示している。
図３(a) は、テープ式部品供給装置４（４´）の本体基部先端に係合して配置されるテープガイドの分解斜視図であり、同図(b) は、その組み上がりの状態を示す斜視図である。
【００３０】
同図(a),(b) に示すテープガイド１３は、図１に示したテープ式部品供給装置４の本体基部先端に対し、その本体基部先端との係合部１４を支点にして上下に回動するように配設されている。
【００３１】
このテープガイド１３は、先端部近傍に穿設された部品供給口１１を備えている。また、その部品供給口１１の横に沿って穿設されたスプロケット送り歯嵌入溝孔１５を併設されている。
【００３２】
そして、部品供給口１１及びスプロケット送り歯嵌入溝孔１５の不図示の部品テープの搬送方向（図３(b) の矢印ａで示す方向）上流側（部品供給口手前側）には、本体テープから引き剥がされたトップテープが部品テープの搬送方向後方に引かれて折り返される折返部１６が形成されている。
【００３３】
また、部品供給口１１の後部には部品押え嵌入溝孔１７が連設されており、この部品押え嵌入溝孔１７に部品押え１８が嵌入している。部品押え１８は、付勢部材１９、保持部２１と共にテープ押圧部材２２を構成している。
【００３４】
また、部品供給口１１及びスプロケット送り歯嵌入溝孔１５の前方には、テープガイド部２３が形成されている。トップテープを引き剥がされ、部品供給口１１で搭載ヘッドに部品を供給した本体テープは、テープガイド部２３の下面と、テープ式部品供給装置４の本体基部先端の上面とに挟まれて案内され、矢印ｂで示す下方に落下する。
【００３５】
ここで、図２(a),(b) に示した部品テープ１０の接続について更に説明する。
図４(a) は、本体テープから引き剥がされたトップテープが部品テープの搬送方向後方に引かれて折り返される折返部１６近傍の平面図であり、同図(b) は、その側面図である。
【００３６】
尚、図４(a) には、テープガイド１３に対する部品テープ１０の配置を分かり易く示すため、テープガイド１３を実線で示し、部品テープ１０（１０ol、１０nw）を破線で示している。
【００３７】
また、図４(a),(b) は、部品テープ１０のテープ接続部分が折返部１６を通過する直前の状態を示している。尚、図４(a) には、先行して折返部１６から引き出されている使用中の部品テープ１０olのトップテープ１０ｂの図示を省略している。
【００３８】
図４(a) に示すように、部品テープ１０（１０ol、１０nw）の本体テープ１０ａには、部品収容凹部２４が形成され、本体テープ１０ａとトップテープ１０ｂには上記の部品収容凹部２４と並んで形成されたた送り孔２５が配置されている。
【００３９】
送り孔２５には、テープ式部品供給装置４本体側のスプロケット送り歯が係合して、部品テープ１０を搬送する。また、部品収容凹部２４には、同図(a) では図示を省略しているが、同図(b) に示す部品２６が収容されている。
【００４０】
そして、テープガイド１３の折返部１６には、中央部１６−１が凸状で、その両側には逃げ１６−２が形成されている。
中央部１６−１には、同図(b) に示すように、本体テープ１０ａからトップテープ１０ｂが剥がされたあと、部品２４の上面が中央部１６−１の角に直接当って損傷するのを防止するため、Ｒ形状が形成されている。そして、そのＲ形状の品質を維持するために、約０．１ｍｍの薄い板金２７が溶接で取り付けられている。
【００４１】
図２(a),(b) に示した部品テープ１０の接続において、現場作業者は、使用中の部品テープ１０olの終端１０ｅと、交換用の新しい部品テープ１０nwの始端１０ｓとを切断によって形成し、不図示の治具を用い、送り孔２５によって位置合わせをした後、終端１０ｅと始端１０ｓとを中心にして粘着テープ２８で接続する。
【００４２】
粘着テープ２８は、剥離シート付きのテープ接続シールであり、テープ接続シールは、本体テープ用のテープ接続シール２９と、トップテープ接続用のテープ接続シール３１とが一組になっている。
【００４３】
現場作業者は、図４(b) に示すように、剥離シートを取り除いたテープ接続シール２９を本体テープ１０ａの裏面に貼り付け、同じく剥離シートを取り除いたテープ接続シール３１をトップテープ１０ｂに貼り付ける。
【００４４】
尚、実際のテープ接続作業は、図２(a) に示したように、使用中の部品テープ１０olの終端部がテープ式部品供給装置４（４´）の後方に長く引き出された状態で行われるものである。
【００４５】
したがって、図４(a),(b) には、図２(b) に示したように部品テープ１０olの終端１０ｅと部品テープ１０nwの始端１０ｓとが接続されて一体化された接続後の部品テープ１０をテープリール８に巻着したテープ式部品供給装置４（４´）の部品供給作業を開始後にける部品テープ１０のテープ接続部分が折返部１６を通過する直前の状態を示している。
【００４６】
そして、本例では、図４(a) に示すように、粘着テープ２８（テープ接続シール２９、３１）は、接続に使用されるとき部品テープ１０（１０ol、１０nw）の走行方向を向く端部が、部品テープ１０の走行方向に対し９０°以下の角度α°を有して形成されている。
【００４７】
これにより、粘着テープ２８（テープ接続シール２９、３１）の接続に使用されるとき部品テープ１０（１０ol、１０nw）の走行方向を向く端部には、先鋭角部分３１−１が形成されている。
【００４８】
尚、図４(a) では、図の上から下に角度α°を形成するようにして先鋭角部分３１−１が送り孔２５側（図４(a) で上方）に形成されているが、逆に、すなわち図の下から上に９０°以下の角度α°を形成するようにして先鋭角部分３１−１が送り孔２５の反対側（図４(a) の下方）に形成されるようにしてもよい。
【００４９】
図５は、上記のようにして接続された部品テープ１０のトップテープ１０ａのテープ接続部分が折返部１６を通過する状態を示す図である。
トップテープ１０ａのテープ接続部分が折返部１６を通過するときは、先ず図４(a) に示した先鋭角部分３１−１が折返部１６の逃げ１６−２を通過する。
【００５０】
ところで、トップテープ１０ｂ接続によってテープ接続シール３１の分だけ厚くなったり、トップテープ１０ｂの伸び易い性質のため接続部の切り口で重なって接続部分が厚くなったり、更には折り返し部の急角度の折り返し円弧でテープ接続シール３１自体による皺が発生したりすることで、折返部１６でトップテープ１０ｂにジャムが発生し易いことは前述した。
【００５１】
しかし、本例では、たとえトップテープ１０ｂの接続部分が厚くなっても、接続部分の先鋭角部分３１−１が折返部１６の逃げ１６−２を容易に通過するので、後続のテープ接続シール３１部分は、先行する先鋭角部分３１−１に追随して、凸状の中央部１６−１により狭くなっている折返部１６の難所１６−３を、ジャムを引き起こすことなく容易に通過する。
【００５２】
このように、本発明のテープ接続シール２９は、接続に使用されるとき部品テープ１０（１０ol、１０nw）の走行方向を向く端部が、部品テープ１０の走行方向に対し９０°以下の角度α°を有して形成されているので、部品テープ１０を接続後、テープ式部品供給装置４の部品供給口１１の手前で本体テープから引き剥がされたトップテープ１０ｂが、折返部１６における折り返し部（難所１６−３）でジャムを発生することがなくなる。
【図面の簡単な説明】
【００５３】
【図１】本発明のテープ接続シール及びトップテープの接続方法により接続される部品デープを用いるテープ式部品供給装置を部品供給ステージに多数装着した状態の部品搭載装置の主要部の内部構成を模式的に示す図である。
【図２】(a),(b) は交換用の新しい部品テープの始端と部品切れが近い使用中の部品テープの終端が接続される前後の状態を示す図である。
【図３】(a) はテープ式部品供給装置の本体基部先端に係合して配置されるテープガイドの分解斜視図、(b) はその組み上がりの状態を示す斜視図である。
【図４】(a) は本体テープから引き剥がされたトップテープの折返部近傍の平面図、(b) はその側面図である。
【図５】接続された部品テープのトップテープのテープ接続部分が折返部を通過する状態を示す図である。
【符号の説明】
【００５４】
１      基板案内レール
２      基板
３      部品供給ステージ
４、４´  テープ式部品供給装置
５      部品認識用カメラ
６      装着位置
７      リール保持部
８      テープリール
１０    部品テープ
１０ａ  本体テープ
１０ｂ  トップテープ
１０ol  使用中の部品テープ
１０ｅ  終端
１０nw  新しい部品テープ
１０ｓ  始端
１１    部品供給口
１２    回収装置
１３    テープガイド
１４    係合部
１５    スプロケット送り歯嵌入溝孔
１６    折返部
１６−１  中央部
１６−２  逃げ
１６−３  難所
１７    部品押え嵌入溝孔
１８    部品押え
１９    付勢部材
２１    保持部
２２    テープ押圧部材
２３    テープガイド部
２４    部品収容凹部
２５    送り孔
２６    部品
２７    薄い板金
２８    粘着テープ
２９、３１  テープ接続シール
【図１】
2007042674.tif 000003
【図２】
2007042674.tif 000004
【図３】
2007042674.tif 000005
【図４】
2007042674.tif 000006
【図５】
2007042674.tif 000007